(57)【特許請求の範囲】
【請求項１】
基板が載置されるベース部；
前記ベース部を貫通して前記基板を支持する支持部；及び
前記支持部を上下方向に移動させる駆動部；
を含み、
前記支持部は、
前記駆動部に載置され、前記駆動部によって上下に移動する載置部；及び
前記載置部に載置され、前記基板を支持する支え部；
を含み、
前記載置部は、前記駆動部に載置され、上側面に形成され、中央が低点になるように曲率を有する設置溝が形成される載置板を含み、
前記支え部は、
前記設置溝に対応する曲面を有する支え台；
前記支え台の上側から上方に突出形成され、板溝が長さ方向に形成される支え突起；及び
前記板溝に挿入され、前記ベース部を貫通して前記基板を支持する薄板；
を含むことを特徴とする基板移送装置。
【請求項２】
前記支持部は、
前記載置部に結合され、前記支え部の移動を制限するガイド部；を含むことを特徴とする、請求項１に記載の基板移送装置。
【請求項３】
前記載置部は、
前記載置板の底面から下方に突出形成される挿入棒；及び
前記載置板の底面から下方に突出形成される載置ローラー；を含むことを特徴とする、請求項１に記載の基板移送装置。
【請求項４】
前記薄板の厚さは０.５ｍｍ〜１.５ｍｍであることを特徴とする、請求項１に記載の基板移送装置。
【請求項５】
前記ガイド部は、
前記載置板に結合され、前記支え台の両端部に近接配置されるガイド板；及び
前記ガイド板から突出形成され、前記支え突起に隣接するように配置されるガイド突起；を含むことを特徴とする、請求項２に記載の基板移送装置。
【請求項６】
前記駆動部は、
前記挿入棒が挿入される案内管が形成される固定板；
前記固定板に設置されるレール；
前記レールに沿って移動し、傾斜面が前記載置ローラーに接触する傾斜板；及び
前記固定板に固定設置され、前記傾斜板に結合されて長さが可変になる長さ調節器；を含むことを特徴とする、請求項３に記載の基板移送装置。
【発明の詳細な説明】
【技術分野】
【０００１】
本発明は、基板移送装置に関し、より詳細には、有機発光ダイオードディスプレイに使用される基板を搬入又は搬送するチャンバーで基板の表面に対する損傷を抑制し、基板の不良を防止する基板移送装置に関する。
【背景技術】
【０００２】
一般に、有機発光ダイオードディスプレイ（Ｏｒｇａｎｉｃ  Ｌｉｇｈｔ  Ｅｍｉｔｔｉｎｇ  Ｄｉｏｄｅ  Ｄｉｓｐｌａｙ）などの平板表示装置の基板としては、長辺及び短辺を有する矩形状のガラス基板が使用される。
【０００３】
このようなガラス基板は、洗浄工程、レーザーアニーリング工程、露光工程及びエッチング工程などの多様な工程を経ながら平板表示装置の基板に製造される。
【０００４】
ガラス基板は、移送用ロボットによって各工程に移送され、各工程が実施されるチャンバーに設置される基板移送装置は、移送用ロボットを通して搬入されたガラス基板を支持する。
【０００５】
一方、本発明の背景技術は、特許文献１（２００６年０１月０６日公開、発明の名称：ガラス支持システム及び支持ピン構造）に開示されている。
【先行技術文献】
【特許文献】
【０００６】
【特許文献１】大韓民国公開特許公報２００６―００００００８号
【発明の概要】
【発明が解決しようとする課題】
【０００７】
従来は、基板を支持する支持ピンの断面が円状であるので、基板と支持ピンとの間の摩擦によって基板にムラが発生するという問題がある。
【０００８】
したがって、これを改善する必要性が要請される。
【０００９】
本発明は、前記のような問題点を改善するためになされたもので、薄い板で基板を支持し、基板の損傷を防止する基板移送装置を提供することを目的とする。
【課題を解決するための手段】
【００１０】
前記のような目的を達成するために、本発明は、基板が載置されるベース部；前記ベース部を貫通して前記基板を支持する支持部；及び前記支持部を上下方向に移動させる駆動部；を含み、前記支持部は、前記駆動部に載置され、前記駆動部によって上下に移動する載置部；及び前記載置部に載置され、前記基板を支持する支え部；を含み、前記載置部は、前記駆動部に載置され、上側面に形成され、中央が低点になるように曲率を有する設置溝が形成される載置板を含み、前記支え部は、前記設置溝に対応する曲面を有する支え台；前記支え台の上側から上方に突出形成され、板溝が長さ方向に形成される支え突起；及び前記板溝に挿入され、前記ベース部を貫通して前記基板を支持する薄板；を含むことを特徴とする基板移送装置を提供する。
【００１１】
前記支持部は、前記載置部に結合され、前記支え部の移動を制限するガイド部；を含むことを特徴とする。
【００１２】
前記載置部は、前記載置板の底面から下方に突出形成される挿入棒；及び前記載置板の底面から下方に突出形成される載置ローラー；を含むことを特徴とする。
【００１４】
前記薄板の厚さは０.５ｍｍ〜１．５ｍｍであることを特徴とする。
【００１５】
前記ガイド部は、前記載置板に結合され、前記支え台の両端部に近接配置されるガイド板；及び前記ガイド板から突出形成され、前記支え突起に隣接するように配置されるガイド突起；を含むことを特徴とする。
【００１６】
前記駆動部は、前記挿入棒が挿入される案内管が形成される固定板；前記固定板に設置されるレール；前記レールに沿って移動し、傾斜面が前記載置ローラーに接触する傾斜板；及び前記固定板に固定設置され、前記傾斜板に結合されて長さを可変にする長さ調節器；を含むことを特徴とする。
【発明の効果】
【００１７】
本発明に係る基板移送装置は、薄板と基板との接触によって接触面積が最小化されることによって、基板のムラ現象を抑制するという効果がある。
【００１８】
本発明に係る基板移送装置は、設置溝に曲面を有する支え台が挿入されることによって、支え台が自重によって自体的に均衡を維持し、薄板とベース部との間の干渉を防止するという効果がある。
【図面の簡単な説明】
【００１９】
【図１】本発明の一実施例に係る基板移送装置のベース部に基板が載置された状態を概略的に示す図である。
【図２】本発明の一実施例に係る基板移送装置のベース部から基板が離隔した状態を概略的に示す図である。
【図３】本発明の一実施例に係る基板移送装置における載置部を概略的に示す図である。
【図４】本発明の一実施例に係る基板移送装置における支え部を概略的に示す図である。
【図５】図４におけるガイド部が配置された状態を概略的に示す図である。
【図６】本発明の一実施例に係る基板移送装置における支持部の連結関係を概略的に示す断面図である。
【発明を実施するための形態】
【００２０】
以下、添付の各図面を参照して本発明に係る基板移送装置の実施例を説明する。このような過程で図面に示した各線の太さや構成要素の大きさなどは、説明の明瞭性と便宜上、誇張して図示する場合がある。また、後述する用語は、本発明での機能を考慮して定義された用語であって、これは、使用者及び運用者の意図又は慣例によって変わり得る。したがって、これら用語は、本明細書全般にわたる内容に基づいて定義しなければならない。
【００２１】
図１は、本発明の一実施例に係る基板移送装置のベース部に基板が載置された状態を概略的に示す図で、図２は、本発明の一実施例に係る基板移送装置のベース部から基板が離隔した状態を概略的に示す図で、図３は、本発明の一実施例に係る基板移送装置における載置部を概略的に示す図である。
【００２２】
図４は、本発明の一実施例に係る基板移送装置における支え部を概略的に示す図で、図５は、図４におけるガイド部が配置された状態を概略的に示す図で、図６は、本発明の一実施例に係る基板移送装置における支持部の連結関係を概略的に示す断面図である。
【００２３】
図１〜図６を参照すると、本発明の一実施例に係る基板移送装置１には、ベース部１０、支持部２０及び駆動部３０が備えられる。
【００２４】
ベース部１０は、基板１００を載置するために基板１００より広い断面積を有する。このようなベース部１０には、一定の長さを有するベースホール１１が複数形成される。
【００２５】
ベース部１０は、駆動部３０又は別途の位置固定手段に結合され、位置が固定された状態を維持する。
【００２６】
支持部２０は、ベース部１０の下方に位置し、ベースホール１１を貫通して基板１００を支持する。
【００２７】
このような支持部２０は、上下に移動しながら基板１００をベース部１０に載置させたり、ベース部１０に載置された基板１００をベース部１０から離隔させる。
【００２８】
駆動部３０は、支持部２０の下方に位置し、支持部２０を上下方向に移動させる。
【００２９】
本発明の一実施例に係る支持部２０には、載置部４０、支え部５０及びガイド部６０が備えられる。
【００３０】
載置部４０は、駆動部３０に載置され、駆動部３０によって上下方向に移動する。支え部５０は、載置部４０に載置され、基板１００を支持する。ガイド部６０は、載置部４０に結合され、支え部５０の移動を制限する。
【００３１】
本発明の一実施例に係る載置部４０には、載置板４１、挿入棒４２及び載置ローラー４３が備えられる。
【００３２】
載置板４１は、ベース部１０と駆動部３０との間に配置され、駆動部３０に載置される。このような載置板４１の上側面には設置溝４４が形成される。
【００３３】
設置溝４４は、ベースホール１１の個数に対応し、ベースホール１１の垂直線上に配置される。このような設置溝４４は、中央が低点になるように曲率を有する。
【００３４】
挿入棒４２は、載置板４１の底面から下方に突出形成される。このような挿入棒４２は載置板４１のコーナー部分にそれぞれ配置される。
【００３５】
載置ローラー４３には、載置板４１の底面に結合され、下方に突出形成されるローラー支持台４３１、及びローラー支持台４３１に回転可能に結合されるローラー４３２が備えられる。
【００３６】
本発明の一実施例に係る支え部５０には、支え台５１、支え突起５２及び薄板５３が備えられる。
【００３７】
支え台５１は、載置板４１の上側面に形成される設置溝４４に載置される。このような支え台５１の底面には、設置溝４４に対応する曲面５４が形成される。
【００３８】
このように設置溝４４に支え台５１が載置されると、自重によって支え台５１が均衡を維持する。
【００３９】
支え突起５２は、支え台５１の上側面から上方に突出形成される。このような支え突起５２の中央部には、支え突起５２の長さ方向に板溝５５が形成される。
【００４０】
薄板５３は板溝５５に挿入される。このような薄板５３は、ベースホール１１を貫通して基板１００と接触する。
【００４１】
板溝５５に挿入された薄板５３を固定させるために、固定体５６が支え突起５２に結合される。このような固定体５６は、支え突起５２にねじ結合されて薄板５３の下端部を加圧したり、薄板５３を貫通して支え突起５２にねじ結合される。
【００４２】
さらに、薄板５３は、板溝５５に投入された接着物質によって板溝５５に挿入されて固定され得る。
【００４３】
薄板５３は、０.５ｍｍ〜１.５ｍｍの厚さを有する。このような薄板５３と基板１００との接触面積が最小化され、基板１００のムラ現象が抑制される。
【００４４】
また、薄板５３は、基板１００より強度の低い軟性材質を含んで構成される。その結果、薄板５３と基板１００との接触過程における基板１００の損傷が抑制される。
【００４５】
本発明の一実施例に係るガイド部６０には、ガイド板６１及びガイド突起６２が備えられる。
【００４６】
ガイド板６１は載置板４１に結合される。このようなガイド板６１は、支え台５１の両端部にそれぞれ近接配置され、支え台５１が長さ方向に離脱することを防止する。
【００４７】
ガイド突起６２は、ガイド板６１から支え台５１の長さ方向に突出形成される。このようなガイド突起６２は、一対からなり、支え突起５２に隣接するように配置される。
【００４８】
したがって、薄板５３が装着された支え台５１は、設置溝４４で遊動しながら自重によって薄板５３を垂直線上に配置させる。
【００４９】
このとき、ガイド部６０は、支え台５１が長さ方向に移動して設置溝４４から離脱することを防止する。また、ガイド部６０は、支え台５１の回転角を制限して支え台５１が過度に遊動することを防止する。
【００５０】
本発明の一実施例に係る駆動部３０には、固定板３１、レール３２、傾斜板３３及び長さ調節器３４が備えられる。
【００５１】
固定板３１は、支持部２０の下方に位置し、固定物に装着されて固定された状態を維持する。
【００５２】
固定板３１には、案内管３５が上方に突出形成される。このような案内管３５は管状をなしており、この案内管３５に挿入棒４２が挿入される。
【００５３】
したがって、載置板４１が上下に移動するとき、挿入棒４２が案内管３５に挿入された状態を維持することによって、載置板４１の左右遊動が抑制される。
【００５４】
レール３２は固定板３１に設置され、傾斜板３３はレール３２に沿って移動する。傾斜板３３には傾斜面３６が形成される。このような傾斜面３６は載置ローラー４３と接触する。
【００５５】
したがって、傾斜板３３がレール３２の一端部から他端部に往復移動すると、傾斜面３６と接触した載置ローラー４３の高低が変わる。
【００５６】
載置ローラー４３の高低変化により、載置ローラー４３と結合された載置板４１が上下に移動する。
【００５７】
載置板４１が上下に移動すると、載置板４１に装着された支え部５０の薄板５３の高低が変化し、基板１００を上下に移動させる。
【００５８】
長さ調節器３４は固定板３１に固定設置される。このような長さ調節器３４は傾斜板３３に結合され、制御部の制御信号に従って長さが可変になる。
【００５９】
例えば、長さ調節器３４としては、油圧によって長さが可変になる油圧シリンダーを使用する。このような長さ調節器３４の長さ変化によって傾斜板３３の位置が変わる。
【００６０】
以下では、前記のような構造を有する本発明の一実施例に係る基板移送装置の作用を説明する。
【００６１】
固定板３１の上側面に形成されるレール３２に沿って移動するように傾斜板３３が設置され、傾斜板３３には、長さが変化する長さ調節器３４が結合される。
【００６２】
傾斜板３３の上方には載置板４１が位置し、載置板４１の底面から突出する挿入棒４２は、傾斜板３３に形成される案内管３５に挿入される。
【００６３】
また、載置板４１の底面から突出する載置ローラー４３は、傾斜板３３に形成される傾斜面３６に接触する。
【００６４】
載置板４１には設置溝４４が形成され、設置溝４４には支え台５１が挿入される。支え台５１には、薄板５３を挿入固定するための支え突起５２が突出形成され、載置板４１に結合されるガイド部６０が支え台５１の遊動を制限する。
【００６５】
一方、載置板４１の上方にはベース部１０が配置され、ベース部１０には薄板５３が貫通するようにベースホール１１が形成される。
【００６６】
基板１００がベース部１０に載置される場合、薄板５３はベース部１０の下側に位置する（図１参照）。このとき、載置ローラー４３は、傾斜面３６の低点に位置する。
【００６７】
上記のような状態で、長さ調節器３４の長さが変化して傾斜板３３が移動すると、載置ローラー４３は傾斜面３６の高点に位置する（図２参照）。
【００６８】
これによって、載置ローラー４３は上方に移動し、これと結合された載置板４１を上昇させる。
【００６９】
載置板４１が上昇すると、載置板４１に装着された支え部５０の薄板５３がベースホール１１を貫通して基板１００を持ち上げるので、ベース部１０から基板１００が離隔する。
【００７０】
ベース部１０に基板１００が載置されていない状態で薄板５３が上昇してベースホール１１を貫通すると、移送用ロボットを通して移送された基板１００が薄板５３に載置される。
【００７１】
移送用ロボットを通して移送された基板１００が薄板５３に載置された後、薄板５３が下降してベース部１０の下側に位置すると、基板１００がベース部１０に載置される。
【００７２】
ベース部１０に基板１００が載置された状態で薄板５３が上昇して基板１００を持ち上げると、移送用ロボットが基板１００を次の工程に移動させる。
【００７３】
一方、支え部５０の支え台５１には、載置板４１の設置溝４４に対応する曲面５４が形成される。
【００７４】
したがって、支え部５０の自重によって支え台５１が均衡を維持すると、薄板５３がベースホール１１と垂直線上に配置されるので、薄板５３が上昇しながらベース部１０と干渉し合うことを防止する。
【００７５】
本発明は、図面に示した実施例を参考にして説明したが、これは例示的なものに過ぎなく、当該技術分野で通常の知識を有する者であれば、これから多様な変形及び均等な他の実施例が可能であることを理解できるだろう。
【００７６】
したがって、本発明の真の技術的保護範囲は、下記の特許請求の範囲によって定められなければならない。
【符号の説明】
【００７７】
１０：ベース部、２０：支持部、３０：駆動部、３１：固定板、３２：レール、３３：傾斜板、３４：長さ調節器、４０：載置部、４１：載置板、４２：挿入棒、５０：支え部、５１：支え台、５２：支え突起、５３：薄板、５４：曲面、６０：ガイド部、６１：ガイド板、６２：ガイド突起
【図１】
0005575869.tif 000002
【図２】
0005575869.tif 000003
【図３】
0005575869.tif 000004
【図４】
0005575869.tif 000005
【図５】
0005575869.tif 000006
【図６】
0005575869.tif 000007